(57)【要約】【課題】  室内側面の見栄えがよく、埋め込み穴の大きさによって取付け具の形状が制限されず、使用する灯体の選択の自由度が狭められない埋め込み型照明器具を提供する。【解決手段】  穿設された埋め込み穴２の周囲の天井材３に備えられた取付け具４の取付け支持部４１に灯体５が取付け支持される埋め込み型照明器具１であって、取付け具４に設けられた載せかけ部４２と天井材３の室外側面３１とが、接触する。ここで、取付け具４が、位置決め部４３を有しており、位置決め部４３と天井材３の埋め込み穴側面３２とが、接触する。【選択図】図２
2006331832.tif 000002
【特許請求の範囲】
【請求項１】
穿設された埋め込み穴の周囲の天井材に備えられた取付け具の取付け支持部に灯体が取付け支持される埋め込み型照明器具であって、取付け具に設けられた載せかけ部と天井材の室外側面とが、接触することを特徴とする埋め込み型照明器具。
【請求項２】
取付け具が、位置決め部を有しており、位置決め部と天井材の埋め込み穴側面とが、接触することを特徴とする請求項１に記載の埋め込み型照明器具。
【請求項３】
取付け具が、穿設された埋め込み穴の周囲の天井材の一部に備えられたことを特徴とする請求項１又は２のいずれかに記載の埋め込み型照明器具。
【請求項４】
取付け支持部が、載せかけ部から突出していることを特徴とする請求項１から３のいずれかに記載の埋め込み型照明器具。
【発明の詳細な説明】
【技術分野】
【０００１】
本発明は、穿設された埋め込み穴の周囲の天井材に備えられた取付け具の取付け支持部に灯体が取付け支持される埋め込み型照明器具に関するものである。
【背景技術】
【０００２】
従来から、穿設された埋め込み穴の周囲の天井材に備えられた取付け具の取付け支持部に灯体が取付け支持される埋め込み型照明器具が知られている。
【０００３】
これは、特開２００４−６３９８号公報（特許文献１）に記載されているように、照明器具を支持する取付け具として、フレーム本体が備えられており、フレーム本体の下側端部に円環状に形成されたフランジ部が埋め込み穴の周囲の天井材の室内側面と接触するようになっている。
【特許文献１】特開２００４−６３９８号公報
【発明の開示】
【発明が解決しようとする課題】
【０００４】
しかしながら、上記構成では、取付け具であるフレームの一部であるフランジ部が埋め込み穴の周囲の天井材の室内側面に接触していたことから、取付け具の表面が室内側面に露出することとなり、見栄えが悪いものとなる可能性があった。また、円環状に形成されたフランジ部が埋め込み穴の周囲の天井材の全部と接触していたことから、埋め込み穴の内径とフランジ部の密着する部分の外径が略同一である必要があり、埋め込み穴の大きさによってフランジ部ひいては取付け具の形状が制限され、使用する灯体の選択の自由度が狭められる可能性があった。
【０００５】
本願発明は、上記背景技術に鑑みてなされたものであり、その課題は、室内側面の見栄えがよく、埋め込み穴の大きさによって取付け具の形状が制限されず、使用する灯体の選択の自由度が狭められない埋め込み型照明器具を提供することである。
【課題を解決するための手段】
【０００６】
上記課題を解決するために、本願発明は、穿設された埋め込み穴の周囲の天井材に備えられた取付け具の取付け支持部に灯体が取付け支持される埋め込み型照明器具であって、取付け具に設けられた載せかけ部と天井材の室外側面とが、接触することを特徴とする埋め込み型照明器具である。
【０００７】
また、取付け具が、位置決め部を有しており、位置決め部と天井材の埋め込み穴側面とが、接触する。
【０００８】
また、取付け具が、穿設された埋め込み穴の周囲の天井材の一部に備えられる。
【０００９】
さらに、取付け支持部が、載せかけ部から突出している。
【発明の効果】
【００１０】
本願発明によれば、取付け具に設けられた載せかけ部と天井材の室外側面とが、接触するので、取付け具の表面が室内側面に露出することともなく、室内側面の見栄えがよくなる。
【００１１】
また、取付け具が、位置決め部を有しており、位置決め部と天井材の埋め込み穴側面とが、接触するので、室内側面の見栄えがよい状態で、位置決めを容易にすることができる。
【００１２】
また、取付け具が、穿設された埋め込み穴の周囲の天井材の一部に備えられるので、取付け具を埋め込み穴の周囲の天井材の全域に備える場合に比べ、埋め込み穴の内径と取付け具の密着する部分の外径が略同一である必要がなく、埋め込み穴の大きさによって取付け具の形状が制限されず、使用する灯体の選択の自由度が狭められない。
【００１３】
さらに、取付け支持部が、載せかけ部から突出しているので、灯体の取付けの施工性が良好となる。
【発明を実施するための最良の形態】
【００１４】
本願の請求項１から４のすべてに対応した埋め込み型照明器具１の一実施形態を図１及び図２により説明する。
【００１５】
本実施形態の埋め込み型照明器具１は、図１及び図２に示す如く、穿設された埋め込み穴２の周囲の天井材３に備えられた取付け具４の取付け支持部４１に灯体５が取付け支持される埋め込み型照明器具１であって、取付け具４に設けられた載せかけ部４２と天井材３の室外側面３１とが、接触することを特徴とする。
【００１６】
ここで、取付け具４が、位置決め部４２を有しており、位置決め部４３と天井材３の埋め込み穴側面３２とが、接触する。
【００１７】
また、取付け具４が、穿設された埋め込み穴２の周囲の天井材３の一部に備えられている。
【００１８】
ここで、取付け支持部４１が、載せかけ部４２から突出している。
【００１９】
以下、本実施形態による埋め込み型照明器具１の構成を、図１及び図２に基づいて、より具体的詳細に説明する。
【００２０】
埋め込み型照明器具１は、図１に示すごとく、取付け具４と、灯体５と、から構成される。
【００２１】
取付け具４は、薄肉板状の載せかけ部４２と、載せかけ部４２の一方の長手辺から突出する薄肉板状の位置決め部４３と、位置決め部４３が突出する載せかけ部４２の長手辺から位置決め部４３の突出方向と反対方向に突出する薄肉板状の取付け支持部４１と、からなる。
【００２２】
載せかけ部４２は長手方向と平行である中心線上に２ケの孔部４４、４５が設けられており、載せかけ部４２のうち、位置決め部４３に臨む面が、天井材３の室外側面３１に接触し、孔部４４、４５に図示しないビスが挿入、嵌合されることで天井材３に固定される。
【００２３】
この場合、位置決め部４３が、埋め込み穴側面３２とが、接触することで、位置決めされることとなる。
【００２４】
取付け支持部４１は、載せかけ部４２から離れた側の長手辺に２ケの凹部４６、４７が設けられており、取付け具４が天井材３に固定された場合に、取付け支持部４１が天井材３の室外側に向かって突出するとともに、凹部４６、４７が天井材３の室外側に向かうこととなる。
【００２５】
灯体５は、下面開口した略半円傘状の部分５２と、その上部に設けられた略円筒状の部分５３とからなる。略半円傘状の部分５２の内部に図示しない点灯装置や光源が設置され、図示しない給電部から電力供給により光源が発光することとなる。また略半円傘状の部分５２の開口側に近い部位に円環状の回転リング５４が備えられ、この回転リング５４の一部に棒状の灯体取付け金具５１が設けられている。
【００２６】
ここで、灯体５は、灯体取付け金具５１と、取付け支持部４１の凹部４６、４７との係り合いにより、灯体取付け金具５の軸周りに回動自在に支持されることとなる。
【００２７】
従って、上記実施形態によれば、取付け具４に設けられた載せかけ部４２と天井材３の室外側面３１とが、接触するので、取付け具４の表面が室内側面に露出することともなく、室内側面の見栄えがよくなる。
【００２８】
また、取付け具４が、位置決め部４３を有しており、位置決め部４３と天井材３の埋め込み穴側面３２とが、接触するので、室内側面の見栄えがよい状態で、位置決めを容易にすることができる。
【００２９】
また、取付け具４が、穿設された埋め込み穴２の周囲の天井材３の一部に備えられるので、取付け具４を埋め込み穴２の周囲の天井材３の全域に備える場合に比べ、埋め込み穴２の内径と取付け具４の密着する部分の外径が略同一である必要がなく、埋め込み穴２の大きさによって取付け具４の形状が制限されず、使用する灯体５の選択の自由度が狭められない。
【００３０】
さらに、取付け支持部４１が、載せかけ部４２から突出しているので、灯体５の取付けの施工性が良好となる。
【００３１】
なお、本実施形態では、位置決め部４３は載せかけ部４２の長手辺の全域にわたって設けられているが、図３に示すごとく、載せかけ部４２の長手辺の一部に設けられてもよい。
【００３２】
さらに、本実施形態では、取付け支持部４１は、位置決め部４３が突出する載せかけ部４２の長手辺から突出しているが、図４に示すごとく、載せかけ部４２の辺部ではなく、面上に設けられてもよい。
【図面の簡単な説明】
【００３３】
【図１】本願発明の一実施形態における埋め込み型照明器具の取付け斜視図。
【図２】図１におけるＡ−Ａ断面図。
【図３】本願発明の他の実施形態に用いられる取付け具の斜視図。
【図４】本願発明の他の実施形態に用いられる取付け具の斜視図。
【符号の説明】
【００３４】
１      埋め込み型照明器具
２      埋め込み穴
３      天井材
３１    室外側面
３２    埋め込み穴側面
４      取付け具
４１    取付け支持具
４２    載せかけ部
４３    位置決め部
５      灯体
６      過可動防止ストッパ
７      接触面
８      スリーブ部
【図１】
2006331832.tif 000003
【図２】
2006331832.tif 000004
【図３】
2006331832.tif 000005
【図４】
2006331832.tif 000006